(57)【特許請求の範囲】
【請求項１】
直進溝及び光軸方向に設けられた第１の長孔が形成された略円筒形の本体と、
前記本体の内部に回動自在に配設されたカム筒であって、カム溝と前記カム溝と平行に形成された第２の長孔とが形成されたカム筒と、
前記カム筒のカム溝に挿通され、かつ前記本体の直進溝に係合するカムピンが突設されるとともに、前記第１の長孔及び前記第２の長孔を貫通するピンが突設された移動枠であって、移動レンズを保持し、前記カム筒の回動に伴いカム溝及び直進溝に沿って前記移動レンズを光軸方向に前後移動させる移動枠と、
前記本体の外側に配設され、前記移動枠がワイド端近傍の所定の範囲にある場合に前記ピンを介して前記移動枠に抵抗を付与するダンパと、
を備えたことを特徴とするレンズ装置。 
【請求項２】
前記所定の範囲は、前記カム筒の周方向に対する前記カム溝の角度が略４０°〜５０°の範囲であることを特徴とする請求項１に記載のレンズ装置。
【請求項３】
前記所定の範囲は、前記カム筒の回転に対する画角の変化量が所定の量以上となる範囲であることを特徴とする請求項１に記載のレンズ装置。
【請求項４】
前記本体の外側に配設されたラックを備え、
前記ラックは、前記本体と接する面に前記ピンが嵌合する穴が形成され、前記本体と接する面と反対の面に歯車が形成され、
前記ダンパは、ロータリダンパであり、
前記ロータリダンパの出力軸には、前記ラックに形成された歯車と噛み合うギアが取り付けられ、
前記移動枠がワイド端近傍の所定の範囲にあるときに前記ラックに形成された歯車と前記ロータリダンパの出力軸に設けられたギアとが噛み合うことで、前記移動枠に抵抗を付与することを特徴とする請求項１、２又は３に記載のレンズ装置。
【請求項５】
前記ダンパは、ロータリダンパであり、
前記ロータリダンパの出力軸には、長手方向が前記ロータリダンパの径方向に突出したアームであって、前記移動枠がワイド端近傍の所定の範囲にある場合に前記ピンが摺動するアームが取り付けられ、
前記移動枠がテレ側からワイド側に移動されると、前記ピンと前記ロータリダンパの出力軸との距離が短くなることを特徴とする請求項１、２又は３に記載のレンズ装置。
【請求項６】
前記第１の長孔は、前記直進溝と略平行に形成されることを特徴とする請求項１から５のいずれかに記載のレンズ装置。
【発明の詳細な説明】
【技術分野】
【０００１】
本発明はレンズ装置に係り、特に手動でズーム等の調整を行うレンズ装置に関する。
【背景技術】
【０００２】
レンズ装置を持ち運び可能なＥＮＧ(Electronic News Gathering)カメラに装着したものが、テレビの取材等で使用される。ＥＮＧカメラは、三脚に固定したり、携帯したりして撮影が行われる。
【０００３】
特許文献１には、移動レンズを保持する保持環にカムピンが設けられ、このカムピンは固定鏡筒の直進溝及びカム筒のカム溝に摺動可能に嵌められており、カム筒が回転すると移動レンズが光軸方向に移動されることでズーミングが行われるＥＮＧレンズのレンズ装置が記載されている。
【先行技術文献】
【特許文献】
【０００４】
【特許文献１】特開平０８−１１０４５５号公報
【発明の概要】
【発明が解決しようとする課題】
【０００５】
図１１は、特許文献１に記載の従来のＥＮＧカメラ用のレンズ装置におけるカム筒の展開図である。カム筒に形成されたカム溝１０１は、テレ端の近傍においてはカム筒１００の周方向に対するカム溝１０１の角度θ（以下、カムの角度という）が小さいが、ワイド方向にいくほどカムの角度θは大きくなり、ワイド端ではカムの角度θは４０°程度となる。カムの角度θが大きいワイド端近傍では、イナーシャが大きくなり移動レンズが停止しにくくなるため、所望の停止精度が得られないという問題がある。
【０００６】
本発明はこのような事情に鑑みてなされたもので、イナーシャの大きいワイド端近傍でも移動レンズを停止させやすくし、停止精度を向上させることができるレンズ装置を提供することを目的とする。
【課題を解決するための手段】
【０００７】
前記目的を達成するために、本発明の一の態様に係るレンズ装置は、直進溝及び光軸方向に設けられた第１の長孔が形成された略円筒形の本体と、前記本体の内部に回動自在に配設されたカム筒であって、カム溝と前記カム溝と平行に形成された第２の長孔とが形成されたカム筒と、前記カム筒のカム溝に挿通され、かつ前記本体の直進溝に係合するカムピンが突設されるとともに、前記第１の長孔及び前記第２の長孔を貫通するピンが突設された移動枠であって、移動レンズを保持し、前記カム筒の回動に伴いカム溝及び直進溝に沿って前記移動レンズを光軸方向に前後移動させる移動枠と、前記本体の外側に配設され、前記移動枠がワイド端近傍の所定の範囲にある場合に前記ピンを介して前記移動枠に抵抗を付与するダンパと、を備えたことを特徴とする。
【０００８】
本発明の一の態様に係るレンズ装置によれば、移動枠に突設されたピンが、カム溝に形成された第２の長孔及び本体に形成された第１の長孔を貫通する。移動枠がワイド端近傍の所定の範囲にある場合には、このピンを介してダンパが移動枠に抵抗を付与する。これにより、ワイド端近傍の所定の範囲では、ロータリダンパを用いて粘性抵抗による制動力を作用させることで、移動枠を停止しやすくすることができる。
【０００９】
本発明の他の態様に係るレンズ装置において、前記所定の範囲は、前記カム筒の周方向に対する前記カム溝の角度が略４０°〜５０°の範囲であってもよい。すなわち、ワイド端近傍の所定の範囲は、カムの立っている領域としてもよい。
【００１０】
本発明の他の態様に係るレンズ装置において、前記所定の範囲は、前記カム筒の回転に対する画角の変化量が所定の量以上となる範囲であってもよい。すなわち、ワイド端近傍の所定の範囲は、カム筒の回転に対する画角の変化量が所定の量以上となる範囲としてもよい。
【００１１】
本発明の他の態様に係るレンズ装置において、前記本体の外側に配設されたラックを備え、前記ラックは、前記本体と接する面に前記ピンが嵌合する穴が形成され、前記本体と接する面と反対の面に歯車が形成され、前記ダンパは、ロータリダンパであり、前記ロータリダンパの出力軸には、前記ラックに形成された歯車と噛み合うギアが取り付けられ、前記移動枠がワイド端近傍の所定の範囲にあるときに前記ラックに形成された歯車と前記ロータリダンパの出力軸に設けられたギアとが噛み合うことで、前記移動枠に抵抗を付与してもよい。これにより、所定の範囲にあるときには、移動枠に常に一定の抵抗を付与することができる。
【００１２】
本発明の他の態様に係るレンズ装置において、前記ダンパは、ロータリダンパであり、前記ロータリダンパの出力軸には、長手方向が前記ロータリダンパの径方向に突出したアームであって、前記移動枠がワイド端近傍の所定の範囲にある場合に前記ピンが摺動するアームが取り付けられ、前記移動枠がテレ側からワイド側に移動されると、前記ピンと前記ロータリダンパの出力軸との距離が短くなってもよい。これにより、移動枠がワイド端に近づくにしたがって、移動枠に加わる粘性抵抗を大きくすることができる。
【００１３】
本発明の他の態様に係るレンズ装置において、前記第１の長孔は、前記直進溝と略平行に形成されてもよい。これにより、ピンを光軸方向に移動させることができる。
【発明の効果】
【００１４】
本発明によれば、イナーシャの大きいワイド端近傍でも移動レンズを停止させやすくし、停止精度を向上させることができる。
【図面の簡単な説明】
【００１５】
【図１】本発明が適用された第１の実施の形態におけるＥＮＧレンズの外観を示した平面図
【図２】ＥＮＧレンズの外観を示した背面図
【図３】レンズ鏡胴を側面から見た断面図
【図４】図３の要部拡大図
【図５】図３の要部拡大図
【図６】カム溝の形状を示す図
【図７】画角の変化を示す図
【図８】第２の実施の形態におけるＥＮＧレンズのレンズ鏡胴の要部拡大図
【図９】第２の実施の形態におけるＥＮＧレンズのレンズ鏡胴の要部拡大図
【図１０】レンズ鏡胴の要部側面図
【図１１】カム溝の形状を示す図
【発明を実施するための形態】
【００１６】
以下、添付図面に従って本発明に係るレンズ装置の好ましい実施の形態について詳説する。このレンズ装置は、放送用又は業務用として取材などで携帯されるＥＮＧカメラ等のカメラ装置に装着されるレンズ装置である。
【００１７】
＜第１の実施の形態＞
図１及び図２は、レンズ装置の平面図及び背面図であり、主として、レンズ鏡胴１と、駆動ユニット２とで構成される。レンズ鏡胴１は、後端のマウント部によりカメラ本体に着脱可能である。
【００１８】
レンズ鏡胴１は、前方側（対物側）から入射される被写体光を集光してカメラ装置の撮像面に被写体像を結像する撮影光学系を内部に保持している。撮影光学系は、主として、フォーカスレンズ（群）、ズームレンズ（群）、絞り、リレーレンズ（群）で構成される。
【００１９】
レンズ鏡胴１には、外周部に回動可能なフォーカスリング４、ズームリング５及びアイリスリング６が設けられ、レンズ鏡胴１の後端部にはエクステンダ３が設けられる。
【００２０】
フォーカスリング４を回動操作すると、フォーカスレンズが光軸に沿って前後移動してピント位置が変化する。ズームリング５を回動操作すると、ズームレンズが光軸に沿って前後移動して焦点距離が変化する。アイリスリング６を回動操作すると、絞りが開閉動作して絞り値が変化する。エクステンダ３は、図示しないレバーを回動操作することで像倍率を１倍と２倍とで切りかえることができるようになっている。
【００２１】
レンズ鏡胴１の先端（図１中左側、被写体側）には、撮影光学系の焦点距離を所定倍率分広角側にシフトさせるワイドコンバータ７が取り付けられる。ワイドコンバータ７は、レンズ鏡胴１から着脱可能に構成され、ワイドコンバータ７の代わりに他の前面アクセサリを取り付け可能である。
【００２２】
レンズ鏡胴１の側部には、前記フォーカスリング４、ズームリング５及びアイリスリング６を駆動する駆動ユニット２が設けられている。駆動ユニット２はケース２０を有し、このケース２０はビス２１を介してレンズ鏡胴１の側部に取り付けられる。
【００２３】
ケース２０外面には、レンズ操作のための各操作部材が設けられている。ケース２０の上面には、アイリスのオート／マニュアルモード切替スイッチ２２、アイリスモーメンタリースイッチ２３、ズームシーソコントロールスイッチ２４（以下、シーソスイッチという）、リターンスイッチ２５等が設けられている。
【００２４】
シーソスイッチ２４は、中立位置を基準に揺動自在に設置され、シーソスイッチ２４をテレ（Ｔ）側又はワイド（Ｗ）側に押圧操作すると、前記ズームリング５がテレ側又はワイド側に回動するようになっている。また、シーソスイッチ２４の押し込み量（操作量）によってズームスピードを調整することができ、その押し込み量が大きいほどズームスピードは高速になる。
【００２５】
ケース２０の側面にはグリップバンド２９が設けられ、カメラマンはこのグリップバンド２９の中に右手（親指以外の４本の指）を挿入してレンズ鏡胴１を保持することができるようになっている。また、ケース２０の後面にはＶＴＲスイッチ２６及びクイックズーム＆定速オートズームスイッチ２７が配設され（図２参照）、これらのスイッチ２６、２７はカメラマンが右手の親指で操作できるようになっている。
【００２６】
ケース２０内には、駆動装置が配設されている。駆動装置は、ズームリング５及びアイリスリング６を駆動するための駆動手段を有するとともに、内部に制御基板が配設される。シーソスイッチ２４により電動でズームレンズ３２（後に詳述）等を駆動制御するとともに、フォーカスレンズ３６（後に詳述）や虹彩絞り４０（後に詳述）を制御する。駆動手段とズームリング５及びアイリスリング６とは図示しないギア伝達機構を介して連結されるが、各ギア伝達機構には切替手段が備えられ、ズームリング５及びアイリスリング６を手動で操作する場合に各モータへ動力が伝達されないようになっている。
【００２７】
図３は、レンズ鏡胴１を側面から見た断面図であり、光軸Ｏから上半分に関して示している。図１において、レンズ装置１のレンズ鏡胴本体は、主として前枠１０、前固定環１２、第１本体環１４、第２本体環１６、後固定環１８、マウント取付枠１１、及びマウント環１３によって略円筒状に構成されている。このレンズ装置１は、マウント環１３を介してレンズ交換式のカメラ本体に装着される。
【００２８】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠１１が、マウント取付枠１１の後方にマウント環１３がそれぞれねじにより固定されている。
【００２９】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００３０】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００３１】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００３２】
したがって、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００３３】
また、第１本体環１４には光軸Ｏ方向の長孔１４Ｂが形成され、移動枠に突設されたピン４６Ｂが、カム筒４８のカム溝４８Ａと平行に形成された長孔及び第１本体環１４の長孔１４Ｂを挿通してロータリダンパ４９から抵抗力を受けるように構成されている。なお、この構成については後に詳述する。
【００３４】
一方、第２本体環１６の外周部には、ズームリング５が回動可能に配置されており、そのズームリング５の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５を回動操作すると、それに連動してカム筒４８が回動する。カム筒４８が回動すると、上述のように移動枠４６が進退移動し、移動枠４６と連動してズームレンズ３２が光軸Ｏ方向に移動する。したがって、ズームリング５の回動操作によりズーム倍率が変更されるようになっている。
【００３５】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠１１との間には、アイリスリング６が回動可能に配設され、このアイリスリング６には、カム板５６から延出する連結軸５６Ａが連結されている。これにより、アイリスリング６の回動によりカム板５６が回動し、絞り羽根５８が開閉動作するようになっている。
【００３６】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００３７】
前固定環１２の外周部には、第１フォーカスリング４Ａ、及び第２フォーカスリング４Ｂがそれぞれ回動可能に配置されている。第１フォーカスリング４Ａは、回動範囲が規制されておらず、エンドレスに回転させることができるとともに、光軸方向にスライド可能に配設されている。また、第２フォーカスリング４Ｂは、ストッパー軸７４により約１２０度の範囲内で回動できるように規制されている。
【００３８】
第１フォーカスリング４Ａと第２フォーカスリング４Ｂとが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング４Ａと第２フォーカスリング４Ｂとが一体的に回動する。したがって、この状態で、第１フォーカスリング４Ａを手動で回動させる場合には、約１２０度の範囲内でのみ回動させることができる。
【００３９】
一方、第１フォーカスリング４Ａを、クリック用弾性部材７６を乗り越えるように前方にスライドさせると、前記クラッチ部７０Ａ、７２Ａの連結が外れる。これにより第１フォーカスリング４Ａは、エンドレスで回転できるようになる。
【００４０】
本実施の形態では、カム筒４８がロータリダンパ４９から抵抗力を受けるように構成されている。図４、５を用いて当該構成について説明する。
【００４１】
図４、５は、レンズ鏡胴１を長孔１４Ｂに沿って切断したときのレンズ鏡胴１内部の部分断面図である。図４は、ギア４７Ａとギア４９Ａと（後で説明する）が噛み合い始める状態を示し、図５はズームレンズ３２がワイド端にある状態を示す。なお、長孔１４Ｂは、第１本体環１４に形成された光軸Ｏ方向の長孔である。
【００４２】
移動枠４６には、カムピン４６Ａに隣接してピン４６Ｂが突設される。ピン４６Ｂは、カム筒４８のカム溝４８Ａと平行に形成された長孔及び第１本体環１４の長孔１４を貫通して第１本体環１４から突出する。
【００４３】
ピン４６Ｂの第１本体環１４から突出した部分には、ラック４７が配設される。ラック４７は、略角柱状の部材であり、第１本体環１４に接する面に穴４７Ｂが形成される。この穴４７Ｂにピン４６Ｂが嵌合することにより、ピン４６Ｂとラック４７が一体化される。
【００４４】
ラック４７が第１本体環１４の外周に沿って摺動可能となるように、ラック４７の第１本体環１４に接する面は第１本体環１４の外周と同じ曲率で形成される。ラック４７の第１本体環１４に接する面と反対側の面には、ギア４７Ａが形成される。
【００４５】
第１本体環１４の外周面には、ロータリダンパ４９が配設される。ロータリダンパ４９は、オイルが充填されたケース内部にローターが設けられ、ローターが回転することによりオイルの粘性抵抗で制動力（ブレーキ）を作用させるものであり、ローターが時計回り、反時計回りのいずれの方向に回転する場合にも制動力が発生する両方向タイプのロータリダンパである。
【００４６】
ロータリダンパ４９の出力軸（ローターの出力軸）には、ギア４９Ａが圧入される。ギア４９Ａは、ギア４７Ａと噛み合い可能に形成される。
【００４７】
図６はカム溝４８Ａの形状を示すためにカム筒４８を展開した図である。ロータリダンパ４９は、カムピン４６Ａがカム溝４８Ａの図６ａの位置に来たときにギア４７Ａとギア４９Ａとが噛み合う（図４に示す状態）よう配設される。すなわち、移動枠４６が図４に示す位置に来たときに移動枠４６には粘性抵抗による制動力が作用し始める。
【００４８】
図４に示す状態からズームリング５を回動操作すると、それに連動してカム筒４８が回動し、ズームレンズ３２がワイド端方向に移動する。カムピン４６Ａがカム溝４８Ａの図６ｂの位置に来たときに移動枠４６の移動が停止して図５に示す状態となる。
【００４９】
すなわち、図４に示す状態から図５に示す状態へと移動枠４６が移動する間（すなわち、カムピン４６Ａがカム溝４８Ａの図６ｃの位置にいる間）、ギア４７Ａと４９Ａとは噛み合いを継続し、すなわち移動枠４６には粘性抵抗による制動力が作用し続ける。
【００５０】
図６に示すように、カム筒４８に形成されたカム溝４８Ａは、テレ端の近傍においてはカム筒４８の周方向に対するカム溝４８Ａの角度θ（以下、カムの角度という）が小さい（カムがねている）が、ワイド方向に行くほどカムの角度θは大きくなり（カムが立つ）、ギア４７Ａと４９Ａとが噛み合う図６ｃの範囲においては、カムの角度θは４０°〜５０°程度となる。図６ｃの範囲は、テレ端を０°、ワイド端を９０°としたときのカム筒４８の回転角度が略８５°〜９０°の範囲である。このようにワイド端近傍のカムの角度θが大きい範囲では、イナーシャが大きくなり移動枠４６が停止しにくくなるため、移動枠４６にロータリダンパ４９による制動力を作用させて、移動枠４６を停止しやすくする。これにより、所望の停止精度を得ることができる。
【００５１】
図７は、移動枠４６の位置と画角の変化との関係を示す図である。図７の横軸は、テレ端を０°、ワイド端を９０°としたときのカム筒４８の回転角度であり、縦軸は、カム筒４８が１°回転したときの画角の変化量である。図７に示すように、図６ｃに相当する範囲ｄは、カム筒４８の回転による画角の変化量が大きい範囲である。このように、カムの角度θが大きく移動枠４６が停止しにくい範囲は、カム筒４８が少し回転すると画角が大きく変わる範囲、すなわちカム筒の回転に対する画角の変化量が所定の量以上となる範囲である。したがって、この領域において移動枠４６を停止しやすくすることで、画角が不要に変化することを防ぐことができる。
【００５２】
本実施の形態によれば、カムの立っている領域では、ロータリダンパを用いて粘性抵抗による制動力を作用させることで、移動枠を停止しやすくすることができる。
【００５３】
なお、本実施の形態では、ラック４７を光軸方向に移動させて、ワイド端近傍でロータリダンパ４９のギア４９Ａとラック４７のギア４７Ａとを噛み合わせたが、ラックの移動方向は光軸方向に限られない。カム筒の回転に合わせてラックを回転させて、ワイド端近傍でロータリダンパのギアとラックのギアとを噛み合わせるようにしても良い。この場合には、ピン４６Ｂの代わりにカム筒４８にピンを突設し、第１本体環１４にカム溝４８Ａと平行に形成された長孔を貫通させればよい。また、ロータリダンパ４９の出力軸がカム溝４８Ａと直交するように、ロータリダンパ４９を第１本体環１４に配設すればよい。
【００５４】
＜第２の実施の形態＞
第１の実施の形態では、ラック４７を光軸方向に移動させ、ワイド端近傍でロータリダンパの出力軸に取り付けられたギアとラックのギアとを噛み合わることで、移動枠に粘性抵抗による制動力を作用させたが、移動枠に粘性抵抗による制動力を作用させる方法はこれに限られない。
【００５５】
本発明の第２の実施の形態は、ロータリダンパの出力軸にアームを取り付け、アームを介して移動枠に粘性抵抗による制動力を作用させる形態である。以下、第２の実施の形態に係るレンズ装置について説明する。なお、駆動ユニット２については、第１の実施の形態と同一であるため説明を省略し、レンズ鏡胴１−１についてのみ説明する。また、第１の実施の形態と同一の部分については、同一の符号を付し、説明を省略する。
【００５６】
図８、９は、レンズ鏡胴１−１の部分断面図であり、図８は、カムピン４６Ａがカム溝４８Ａの図６ａの位置に来たときの状態を示し、図９はズームレンズ３２がワイド端にある状態を示す。図１０は、レンズ鏡胴１−１の主要部を光軸に沿って見た図である。
【００５７】
第１本体環１４の外周面には、ロータリダンパ４９が配設される。ロータリダンパ４９の出力軸（ローターの出力軸）には、長手方向がロータリダンパ４９の径方向に突出するようにアーム４９Ｂが圧入される。
【００５８】
アーム４９Ｂは、先端が折れ曲がった略くの字形状であり、先端にはピン４９Ｃが突設される。ピン４９Ｃには、バネ４９Ｅの一端が取り付けられる。バネ４９Ｅの他端は、第１本体環１４に突設されたピン１４Ｄに取り付けられる。したがって、バネ４９Ｅにより、アーム４９Ｂを図８、図９における反時計回りに回転させる力がアーム４９Ｂに付勢される。第１本体環１４には度決めピン１４Ｃが配設され、バネ４９Ｅにより反時計回りの回転力が付勢されたアーム４９Ｂの回転が規制される。このアームの４９Ｂの回転が規制された位置では、アーム４９Ｂ先端部が光軸と略平行となるようにアーム４９Ｂが形成される。したがって、光軸方向に移動するピン４６Ｂが長孔４９Ｄに案内される。
【００５９】
アーム４９Ｂには、先端から長手方向に沿って一端が開口した長孔４９Ｄが形成される。ピン４６Ｂは、この長孔４９Ｄ内を摺動する。図８に示すように、カムピン４６Ａがカム溝４８Ａの図６ａの位置に来たときには、ピン４６Ｂは、アーム４９Ｂの長孔４９Ｄ先端から、長孔４９Ｄ内のアーム４９Ｂが折れ曲がる位置まで移動される。ピン４６Ｂが長孔４９Ｄ先端からアーム４９Ｂが折れ曲がる位置まで移動する間は、長孔４９Ｄの方向とピン４４Ｂの移動方向とが略平行であるため、ピン４６Ｂ、すなわち移動枠４６にはロータリダンパ４９から粘性抵抗は作用されない。
【００６０】
カム筒４８が回転し、移動枠４６が図８に示す状態からワイド端方向に移動する間は、ピン４６Ｂがアーム４９Ｂを時計回り（図８、図９における方向）に押しながら光軸方向（図８、９においては左方向）に移動し、図９に示す位置でピン４６Ｂがワイド端に達してピン４６Ｂが停止する。
【００６１】
ピン４６Ｂは、長孔４９Ｄ内をロータリダンパ４９の出力軸に近づく方向に摺動しながらアーム４９Ｂを回動させる。ピン４６Ｂとロータリダンパ４９の出力軸との距離が近くなると、ピン４６Ｂ、すなわち移動枠４６に加わる粘性抵抗が大きくなる。このような構成とすることで、よりイナーシャの大きいワイド端に近づくにしたがい、移動枠４６に加わる粘性抵抗を大きくすることができる。
【００６２】
移動枠４６がワイド端からテレ端方向へ移動する場合、すなわちピン４６Ｂが図８、９において右方向に移動する場合には、バネ４９Ｅによる付勢力でピン４６Ｂに粘性抵抗は加わらない。アーム４９Ｂは、ピン４６Ｂの光軸方向の移動に伴って、度決めピン１４Ｃに当接するまで図８、９における反時計回りに回動する。
【００６３】
本実施の形態によれば、イナーシャが大きくなるにしたがって移動枠に加わる粘性抵抗を大きくすることができる。したがって、より移動端を停止しやすくすることができる。なお、ワイド端に近づくにしたがい、カム筒の回転に対する画角の変化が大きくなって行く（図７参照）。このように、画角の変化が大きくなるのに伴い移動枠に加わる粘性抵抗を大きくすることで、意図せず画角が大きく変化することを防止することができる。
【００６４】
なお、本実施の形態では、ピン４６Ｂを光軸方向に移動させてアーム４９Ｂと噛み合わせたが、第１の実施の形態と同様、カム筒の回転に合わせてピンを回転させてピンとアームとを噛み合わせるようにしても良い。
【００６５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００６６】
１…レンズ鏡胴、２…駆動ユニット、３…エクステンダ、４…フォーカスリング、５…ズームリング、６…アイリスリング、７…ワイドコンバータ、１４…第１本体環、４６…移動枠４６、４６Ａ…カムピン、４６Ｂ…ピン、４７…ラック、４７Ａ…ギア、４８…カム筒、４８Ａ…カム溝、４９…ロータリダンパ、４９Ａ…ギア、４９Ｂ…アーム
【図１】
0005651088.tif 000002
【図２】
0005651088.tif 000003
【図３】
0005651088.tif 000004
【図４】
0005651088.tif 000005
【図５】
0005651088.tif 000006
【図６】
0005651088.tif 000007
【図７】
0005651088.tif 000008
【図８】
0005651088.tif 000009
【図９】
0005651088.tif 000010
【図１０】
0005651088.tif 000011
【図１１】
0005651088.tif 000012